(57)【要約】【課題】給湯装置の電源部に異常発熱が生じた場合に電源部を冷却するための手法を提供する。【解決手段】燃焼用ファン１２５は、燃焼バーナ１１５の運転に伴ない作動する。コントローラ１３０の電源部は、給湯装置１００で用いられる電源を生成する。電源部は、燃焼用ファン１２５が作動することにより生成される空気流によって冷却される。コントローラ１３０には、電源部２００の温度を監視する温度監視部が設けられる。コントローラ１３０の制御部は、燃焼用ファン１２５の停止中に温度監視部の検出温度が予め定められた温度を超えると、燃焼用ファン１２５を作動させる。【選択図】図１
2014159889.tif 000002
【特許請求の範囲】
【請求項１】
給湯装置であって、
湯の生成に用いられる燃焼部と、
前記燃焼部の運転に伴ない作動する燃焼用ファンと、
前記給湯装置で用いられる電源を生成する電源部とを備え、
前記電源部は、前記燃焼用ファンが作動することにより生成される空気流によって冷却され、さらに
前記電源部の温度を検出する温度検出部と、
前記燃焼用ファンの停止中に前記温度検出部の検出温度が予め定められた温度を超えると、前記燃焼用ファンを作動させる制御部とを備える給湯装置。
【請求項２】
前記制御部は、前記検出温度の上昇率が大きいほど前記燃焼用ファンの回転数を高くする、請求項１に記載の給湯装置。
【請求項３】
前記制御部は、前記検出温度が高いほど前記燃焼用ファンの回転数を高くする、請求項１に記載の給湯装置。
【請求項４】
前記電源部は、前記給湯装置の吸気口から前記燃焼用ファンへの吸気経路に配置される、請求項１から３のいずれか１項に記載の給湯装置。
【請求項５】
前記電源部は、スイッチングトランスによって構成され、
前記温度検出部は、前記スイッチングトランスのトランス二次側に設けられる整流部の温度を検出する、請求項１から３のいずれか１項に記載の給湯装置。
【請求項６】
前記検出温度が前記予め定められた温度を超えることによって前記燃焼用ファンが作動すると、利用者に対して異常を報知する報知部をさらに備える、請求項１から３のいずれか１項に記載の給湯装置。
【発明の詳細な説明】
【技術分野】
【０００１】
この発明は、給湯装置に関し、特に、燃焼部の運転に伴ない作動する燃焼用ファンを備える給湯装置に関する。
【背景技術】
【０００２】
ガス燃焼式の給湯装置において、燃焼運転に伴ないファンを運転させる強制送風式の給湯装置が知られている。
【０００３】
特開平５−１８７７１０号公報（特許文献１）には、バーナ燃焼時にファンを運転させる風呂給湯装置において、給湯器内に浴用水を循環させるための循環ポンプの運転中は、循環ポンプのモータの発熱による給湯器筐体内の温度上昇を防止するために、バーナの燃焼・非燃焼に拘わらずファンを動作させることが記載されている。
【０００４】
また、特開平５−２４８６３０号公報（特許文献２）には、送風ファンを有する強制送風式の燃焼機器において、送風ファンによる送風の一部をバイパスさせ、そのバイパス流によって送風ファンのモータを冷却することが記載されている。
【先行技術文献】
【特許文献】
【０００５】
【特許文献１】特開平５−１８７７１０号公報
【特許文献２】特開平５−２４８６３０号公報
【発明の概要】
【発明が解決しようとする課題】
【０００６】
給湯装置内に備えられる電源部は、給湯装置が非燃焼運転中であっても、制御部（マイコンを主要部とする。）へ動作電力を供給するために作動している。この電源部において、電源部から電力を受ける負荷の異常等により異常発熱が生じると、電源部の部品劣化が促進されてしまう。このような電源部の異常発熱に対して、上記の特許文献１，２では特に検討されていない。
【０００７】
この発明は、上記の課題に鑑みてなされたものであり、その目的は、給湯装置の電源部に異常発熱が生じた場合に電源部を冷却するための手法を提供することである。
【課題を解決するための手段】
【０００８】
この発明の給湯装置は、湯の生成に用いられる燃焼部と、燃焼用ファンと、電源部と、温度検出部と、制御部とを備える。燃焼用ファンは、燃焼部の運転に伴ない作動する。電源部は、給湯装置で用いられる電源を生成する。この電源部は、燃焼用ファンが作動することにより生成される空気流によって冷却される。温度検出部は、電源部の温度を検出する。制御部は、燃焼用ファンの停止中に温度検出部の検出温度が予め定められた温度を超えると、燃焼用ファンを作動させる。
【０００９】
好ましくは、制御部は、温度検出部の検出温度の上昇率が大きいほど燃焼用ファンの回転数を高くする。
【００１０】
また、好ましくは、制御部は、温度検出部の検出温度が高いほど燃焼用ファンの回転数を高くする。
【００１１】
好ましくは、電源部は、給湯装置の吸気口から燃焼用ファンへの吸気経路に配置される。
【００１２】
好ましくは、電源部は、スイッチングトランスによって構成される。温度検出部は、スイッチングトランスのトランス二次側に設けられる整流部の温度を検出する。
【００１３】
好ましくは、給湯装置は、報知部をさらに備える。報知部は、温度検出部の検出温度が予め定められた温度を超えることによって燃焼用ファンが作動すると、利用者に対して異常を報知する。
【発明の効果】
【００１４】
この給湯装置においては、温度検出部により電源部の温度が検出され、燃焼用ファンの停止中に温度検出部の検出温度が予め定められた温度を超えると、燃焼用ファンが作動する。すなわち、燃焼部が非燃焼中であっても、電源部に異常発熱が生じた場合には、燃焼用ファンが作動することによって電源部へ冷却風が供給される。したがって、この給湯装置によれば、電源部に異常発熱が生じた場合に電源部を冷却することができ、その結果、電源部の部品劣化を抑制することができる。
【図面の簡単な説明】
【００１５】
【図１】この発明の実施の形態１による給湯装置において、主要な機器の配置構成を説明するための図である。
【図２】図１に示すコントローラの構成例を示すブロック図である。
【図３】給湯装置の待機時における燃焼用ファンの制御を説明するためのフローチャートである。
【図４】実施の形態２による給湯装置の待機時における燃焼用ファンの制御を説明するためのフローチャートである。
【発明を実施するための形態】
【００１６】
以下、本発明の実施の形態について、図面を参照しながら詳細に説明する。なお、図中同一または相当部分には同一符号を付してその説明は繰返さない。
【００１７】
［実施の形態１］
図１は、この発明の実施の形態１による給湯装置において、主要な機器の配置構成を説明するための図である。図１を参照して、給湯装置１００の筐体１１０内には、燃焼バーナ１１５と、熱交換器１２０と、燃焼用ファン１２５と、コントローラ１３０と、防雨板１３５と、図示されない多数の配管およびセンサとが格納されている。筐体１１０の一面（たとえば前面）には、前板１４０が設けられ、前板１４０には、吸気口（「給気口」とも称する。）１４５と、排気口１５０が設けられている。
【００１８】
燃焼バーナ１１５は、図示されないガス配管から供給されるガスと、燃焼用ファン１２５から供給される空気との混合気を燃焼する。燃焼バーナ１１５でのガス燃焼により発生された熱量は、熱交換器１２０に与えられ、熱交換器１２０において給湯配管内の湯水の温度上昇に用いられる。
【００１９】
燃焼用ファン１２５は、モータによって回転駆動され、燃焼バーナ１１５へ燃焼用の空気を供給するためのものである。燃焼用ファン１２５は、コントローラ１３０からの指令に基づいて作動し、吸気口１４５から取り込まれる空気を燃焼バーナ１１５に向けて供給する。
【００２０】
コントローラ１３０は、電源部および制御部（いずれも図示せず）を含み、制御部に記憶された制御プログラムに従って給湯装置１００の各種制御を実行する。制御プログラムには、燃焼バーナ１１５や燃焼用ファン１２５等の運転に関する各種プログラムが含まれており、これらのプログラムに基づいて燃焼バーナ１１５や燃焼用ファン１２５等の制御が実行される。
【００２１】
吸気口１４５は、燃焼用ファン１２５の作動時に筐体１１０内に外気を取り込むために設けられる。燃焼用ファン１２５の作動に伴ない吸気口１４５から取り込まれた空気は、燃焼用ファン１２５によって燃焼バーナ１１５へ供給されるところ、吸気口１４５から燃焼用ファン１２５への吸気経路にコントローラ１３０が配設される。一例として、図に示されるように、コントローラ１３０は、防雨板１３５を介して吸気口１４５の近傍に配設される。そして、燃焼用ファン１２５の作動に伴ない吸気口１４５から吸入される空気は、まずコントローラ１３０を冷却し、その後、燃焼用ファン１２５へ供給される。詳しくは、吸気口１４５から筐体１１０内へ導入された空気の大部分は、防雨板１３５の周辺を通って燃焼用ファン１２５に導入される。また、筐体１１０内へ導入された空気の一部は、防雨板１３５の図示しない開口部を通ってコントローラ１３０側へ導入され、その後、燃焼用ファン１２５へ導入される。
【００２２】
排気口１５０は、燃焼用ファン１２５の作動時に筐体１１０外へ空気（または、燃焼運転による排ガス）を排出するために設けられる。排気口１５０が設けられることにより、燃焼用ファン１２５の作動時に図中の矢印で示されるような空気流が形成される。
【００２３】
この実施の形態１では、燃焼バーナ１１５へ燃焼用の空気を供給するための燃焼用ファン１２５が設けられる。燃焼バーナ１１５の運転とともに燃焼用ファン１２５が作動し、吸気口１４５から外気が筐体１１０内に取り込まれる。燃焼用ファン１２５の吸気経路には、コントローラ１３０が配置されており、燃焼用ファン１２５の作動に伴ない吸気口１４５から取り込まれる外気によってコントローラ１３０が冷却される。
【００２４】
コントローラ１３０には、図示されない外部の電源（たとえば系統交流電源）から電力が供給され、コントローラ１３０の電源部によって、この給湯装置１００で用いられる電源（たとえば１５Ｖ電源）が生成される。電源部により生成される電力が、必要に応じて適宜電圧変換されて、制御部や、燃焼用ファン１２５、燃焼バーナ１１５、各種電磁弁、各種センサ、リモコン等の各機器へ供給される。
【００２５】
コントローラ１３０の電源部は、燃焼バーナ１１５の非燃焼時においても、リモコンや制御部のマイコンへ動作電力を供給するために作動している。この電源部において、電源部から電力を受ける負荷（電磁弁等）の異常やリモコンでのレアショート等により過電流が流れることによって異常発熱が生じると、電源部の部品劣化が促進されてしまう。そこで、この実施の形態１では、コントローラ１３０の電源部の温度を検出する温度センサが設けられ、燃焼バーナ１１５の運転停止に伴ない燃焼用ファン１２５が停止していても、電源部の温度上昇が検知された場合には燃焼用ファン１２５を作動させる。これにより、燃焼用ファン１２５の作動に伴ない吸気口１４５から取り込まれる外気によってコントローラ１３０の電源部が冷却される。
【００２６】
図２は、図１に示したコントローラ１３０の構成例を示すブロック図である。なお、この図２では、燃焼用ファン１２５の制御に関する部分について示されており、燃焼バーナ１１５や各種電磁弁等のその他の制御に関する部分については省略されている。
【００２７】
図２を参照して、コントローラ１３０は、電源部２００と、三端子レギュレータ２２５と、マイコン３００と、デジタル制御ＩＣ３１０と、リモコン３２０とを含む。また、コントローラ１３０は、ファン出力制御部２３５と、ファン電圧検出部２４５と、ファン電流検出部２５０と、１２Ｖオン／オフ回路２５５と、１２Ｖ生成回路２６０と、温度監視部２７０とをさらに含む。
【００２８】
電源部２００は、装置外部の電源（たとえば系統交流電源であり、以下「外部電源」とも称する。）から交流電力を受けて、給湯装置１００で用いられる電源を生成する。この実施の形態では、電源部２００は、直流１５Ｖの電圧を生成するものとするが、電源部２００が生成する電圧はこれに限定されるものではない。一例として、電源部２００は、フライバック方式のスイッチングトランスによって構成され、整流・平滑回路２０５と、トランス部２１０と、整流部２１５と、１５Ｖ出力部２２０とを含む。
【００２９】
整流・平滑回路２０５は、外部電源から受ける交流電力を整流するとともに、整流された直流電力に含まれる変動成分を平滑化する。整流・平滑回路２０５は、たとえば、外部電源から受ける交流電力を整流する整流ブリッジ回路と、整流された直流電力に含まれる変動成分を平滑化する平滑コンデンサとによって構成される。
【００３０】
トランス部２１０は、整流・平滑回路２０５から受ける電力を所定の周波数の交流に変換し、絶縁トランスを介して整流部２１５へ出力する。トランス部２１０は、たとえば、絶縁機能を有する高周波トランスと、高周波トランスの一次コイルに接続されてオン・オフ制御されるスイッチング素子とによって構成される。
【００３１】
整流部２１５は、トランス部２１０から出力される交流電力を整流する。整流部２１５は、たとえばダイオードによって構成される。１５Ｖ出力部２２０は、整流部２１５によって整流された直流電力に含まれる変動成分を平滑化する平滑コンデンサ等を含み、１５Ｖの安定した直流電力を出力する。実際には、１５Ｖ出力部２２０の出力が直流１５Ｖとなるようにトランス部２１０のスイッチング素子がオン・オフ制御される。
【００３２】
三端子レギュレータ２２５は、電源部２００から１５Ｖの直流電力を受け、マイコン用Ｖｃｃに電圧変換してマイコン３００へ供給する。１２Ｖオン／オフ回路２５５は、マイコン３００から受ける１２Ｖオン／オフ信号またはデジタル制御ＩＣ３１０から受ける空冷用１２Ｖオン信号が論理ハイ（Ｈｉ）を示しているとき、電源部２００から出力される１５Ｖ直流電力を１２Ｖ生成回路２６０へ供給する。一方、１２Ｖオン／オフ回路２５５は、１２Ｖオン／オフ信号および空冷用１２Ｖオン信号が論理ロー（Ｌｏｗ）を示しているとき、電源部２００から１２Ｖ生成回路２６０への電力供給を遮断する。
【００３３】
１２Ｖ生成回路２６０は、１２Ｖオン／オフ回路２５５から受ける直流電力（１５Ｖ）を燃焼用ファン１２５用に１２Ｖに降圧して燃焼用ファン１２５へ供給する。１２Ｖ生成回路２６０が１２Ｖオン／オフ回路２５５から電力を受けていないときは、燃焼用ファン１２５への電力供給は行なわれない。
【００３４】
ファン出力制御部２３５は、デジタル制御ＩＣ３１０から受けるＰＷＭ（Pulse  Width  Modulation）信号に基づいて、燃焼用ファン１２５を駆動するための駆動電圧ＶＳＦＡを生成し、その生成した駆動電圧ＶＳＦＡを燃焼用ファン１２５へ出力する。なお、ＰＷＭ信号のパルス幅を変化させることによって駆動電圧ＶＳＦＡを制御することができ、駆動電圧ＶＳＦＡを制御することによって燃焼用ファン１２５の回転数を制御することができる。
【００３５】
ファン電圧検出部２４５は、燃焼用ファン１２５の駆動電圧ＶＳＦＡを検出し、その検出値をデジタル制御ＩＣ３１０へ出力する。ファン電流検出部２５０は、燃焼用ファン１２５に流れる電流を検出し、その検出値をデジタル制御ＩＣ３１０へ出力する。
【００３６】
温度監視部２７０は、電源部２００の温度を監視する。具体的には、温度監視部２７０は、温度センサによって整流部２１５の温度を検出し、その検出結果をデジタル制御ＩＣ３１０へ出力する。整流部２１５の温度を検出するのは、整流部２１５の温度は、電源部２００に流れる電流量と相関があり、電源部２００の負荷を反映するものだからである。なお、整流部２１５に代えて、あるいは整流部２１５とともに、たとえばトランス部２１０のスイッチング素子の温度を検出することによって電源部２００の温度を監視してもよい。
【００３７】
マイコン３００は、燃焼用ファン１２５の作動／停止を制御するとともに、燃焼用ファン１２５の作動時には燃焼用ファン１２５の目標回転数を設定する。マイコン３００は、１２Ｖオン／オフ信号および目標回転数信号をデジタル制御ＩＣ３１０へ出力する。１２Ｖオン／オフ信号は、１２Ｖオン／オフ回路２５５へも出力される。マイコン３００は、出湯栓からの出湯が行なわれる給湯運転時に、１２Ｖオン／オフ信号を論理ハイにする。これにより、１２Ｖオン／オフ回路２５５から１２Ｖ生成回路２６０へ電力が供給され、燃焼用ファン１２５へ電力が供給される。目標回転数信号は、燃焼用ファン１２５の目標回転数を示す信号である。
【００３８】
また、マイコン３００は、ファン回転数監視信号、ファン電流監視信号、および空冷時ファン回転信号をデジタル制御ＩＣ３１０から受ける。ファン回転数監視信号およびファン電流監視信号は、燃焼用ファン１２５の状態を監視するための信号である。空冷時ファン回転信号は、給湯装置１００の待機時（燃焼バーナ１１５の非燃焼時）に、燃焼用ファン１２５の駆動を指示するための信号である。マイコン３００は、空冷時ファン回転信号が論理ハイを示しているとき、デジタル制御ＩＣ３１０へ出力される目標回転数信号に空冷用の目標回転数を設定する。この空冷用の目標回転数は、燃焼バーナ１１５および燃焼用ファン１２５の停止中に温度監視部２７０によって電源部２００の温度上昇が検知された場合に、電源部２００を冷却するために燃焼用ファン１２５を作動（空冷動作）させるときの燃焼用ファン１２５の目標回転数である。
【００３９】
デジタル制御ＩＣ３１０は、ファン電圧検出部２４５およびファン電流検出部２５０から燃焼用ファン１２５の駆動電圧ＶＳＦＡおよび駆動電流を受ける。また、デジタル制御ＩＣ３１０は、燃焼用ファン１２５の回転数を燃焼用ファン１２５から受ける。なお、燃焼用ファン１２５の回転数は、図示されない回転数センサによって検出される。そして、デジタル制御ＩＣ３１０は、マイコン３００から受ける１２Ｖオン／オフ信号が論理ハイを示しているとき、マイコン３００から受ける目標回転数信号に燃焼用ファン１２５の回転数が一致するように、ファン出力制御部２３５へ出力されるＰＷＭ信号のパルス幅を調整する。
【００４０】
また、デジタル制御ＩＣ３１０は、温度監視部２７０において検出される電源部２００の温度を温度監視部２７０から受ける。そして、デジタル制御ＩＣ３１０は、マイコン３００から受ける１２Ｖオン／オフ信号が論理ローを示しているときに電源部２００の温度が所定のしきい値を超えると、１２Ｖオン／オフ回路２５５へ出力される１２Ｖオン信号を論理ハイにするとともに、マイコン３００へ出力される空冷時ファン回転信号を論理ハイにする。すなわち、燃焼用ファン１２５の停止中に電源部２００の温度がしきい値を超えることにより電源部２００の温度異常が検知されると、デジタル制御ＩＣ３１０から１２Ｖオン／オフ回路２５５へオン指令が出力され、燃焼用ファン１２５へ動作電力が供給される。さらに、空冷時ファン回転信号によりデジタル制御ＩＣ３１０からマイコン３００へ燃焼用ファン１２５の駆動が指示され、それに応じてマイコン３００からデジタル制御ＩＣ３１０へ空冷用の目標回転数が設定される。そして、デジタル制御ＩＣ３１０は、空冷用の目標回転数に燃焼用ファン１２５の回転数が一致するように、ファン出力制御部２３５へ出力されるＰＷＭ信号のパルス幅を調整する。
【００４１】
図３は、給湯装置１００の待機時における燃焼用ファン１２５の制御を説明するためのフローチャートである。フローチャート中の各ステップについては、予め記憶されたプログラムがメインルーチンから呼び出されて、所定周期もしくは所定の条件が成立したことに応答して実行されることによって実現される。
【００４２】
図３とともに図２を参照して、デジタル制御ＩＣ３１０は、マイコン３００から受ける１２Ｖオン／オフ信号が論理ローであるか否かを判定する（ステップＳ１０）。１２Ｖオン／オフ信号が論理ハイのときは（ステップＳ１０においてＮＯ）、燃焼用ファン１２５は作動中であって給湯装置１００は待機状態ではないので、以降の一連の処理は実行されることなくステップＳ１００へ処理が移行される。
【００４３】
ステップＳ１０において１２Ｖオン／オフ信号が論理ローであると判定されると（ステップＳ１０においてＹＥＳ）、デジタル制御ＩＣ３１０は、温度監視部２７０により監視される電源部２００の温度がしきい値以上であるか否かを判定する（ステップＳ２０）。なお、このしきい値は、電源部２００の耐熱性に基づいて設定され、たとえば温度検出が行なわれる整流部２１５の耐熱温度等を考慮して設定される。
【００４４】
電源部２００の温度がしきい値以上であると判定されると（ステップＳ２０においてＹＥＳ）、デジタル制御ＩＣ３１０は、マイコン３００へ出力される空冷時ファン回転信号を論理ハイに設定する（ステップＳ３０）。さらに、デジタル制御ＩＣ３１０は、１２Ｖオン／オフ回路２５５へ出力される空冷用１２Ｖオン信号を論理ハイに設定する（ステップＳ４０）。
【００４５】
マイコン３００は、デジタル制御ＩＣ３１０から受ける空冷時ファン回転信号が論理ハイとなったことに応答して、デジタル制御ＩＣ３１０へ出力される目標回転数信号に空冷用の目標回転数を設定する（ステップＳ５０）。デジタル制御ＩＣ３１０は、マイコン３００により設定された空冷用目標回転数に燃焼用ファン１２５の回転数が一致するようにＰＷＭ信号を生成し、燃焼用ファン１２５を駆動する（ステップＳ６０）。そして、電源部２００の温度異常により燃焼用ファン１２５が作動していることを利用者へ報知するために、マイコン３００は、リモコン３２０へ警報の出力を指示する（ステップＳ７０）。
【００４６】
一方、ステップＳ２０において電源部２００の温度がしきい値よりも低いと判定されたときは（ステップＳ２０においてＮＯ）、デジタル制御ＩＣ３１０は、マイコン３００へ出力される空冷時ファン回転信号を論理ローに設定する（ステップＳ８０）。また、デジタル制御ＩＣ３１０は、１２Ｖオン／オフ回路２５５へ出力される空冷用１２Ｖオン信号を論理ローに設定する（ステップＳ９０）。これにより、燃焼用ファン１２５は停止状態を維持する。
【００４７】
以上のように、この実施の形態１においては、温度監視部２７０により電源部２００の温度が検出され、燃焼用ファン１２５の停止中に温度監視部２７０の検出温度がしきい値を超えると、燃焼用ファン１２５を作動させる。すなわち、燃焼バーナ１１５が非燃焼中であっても、電源部２００に異常発熱が生じた場合には、燃焼用ファン１２５が作動することによって電源部２００へ冷却風が供給される。したがって、この実施の形態１によれば、電源部２００に異常発熱が生じた場合に電源部２００を冷却することができ、その結果、電源部２００の部品劣化を抑制することができる。
【００４８】
［実施の形態２］
この実施の形態２では、電源部２００の異常発熱時に駆動される燃焼用ファン１２５の回転数を、電源部２００の温度上昇率に応じて変化させる。具体的には、電源部２００の温度上昇率が大きいほど、燃焼用ファン１２５の回転数が高い値に設定される。
【００４９】
実施の形態２による給湯装置の全体的な構成は、図１，２に示した給湯装置１００と同じである。
【００５０】
図４は、実施の形態２による給湯装置の待機時における燃焼用ファン１２５の制御を説明するためのフローチャートである。なお、このフローチャート中の各ステップについても、予め記憶されたプログラムがメインルーチンから呼び出されて、所定周期もしくは所定の条件が成立したことに応答して実行されることによって実現される。
【００５１】
図４とともに図２を参照して、このフローチャートは、図３に示したフローチャートにおいて、ステップＳ３０に代えてステップＳ３２〜Ｓ３８を含み、ステップＳ５０を含まない。すなわち、ステップＳ２０において電源部２００の温度がしきい値以上であると判定されると（ステップＳ２０においてＹＥＳ）、デジタル制御ＩＣ３１０は、温度監視部２７０において検出される電源部２００の温度を温度監視部２７０から一定周期で読込む（ステップＳ３２）。
【００５２】
次いで、デジタル制御ＩＣ３１０は、一定周期で読込まれる電源部２００の温度に基づいて、電源部２００の温度上昇率を算出する（ステップＳ３４）。具体的には、温度読込値の今回値と前回値との差を読込周期で除算することにより、電源部２００の温度上昇率を算出することができる。
【００５３】
そして、デジタル制御ＩＣ３１０は、ステップＳ３４において算出された温度上昇率に応じて、マイコン３００へ出力される空冷時ファン回転信号のデューティーを設定する（ステップＳ３６）。すなわち、この実施の形態２では、デジタル制御ＩＣ３１０からマイコン３００へ出力される空冷時ファン回転信号は、所定の周期を有するパルス信号であり、デジタル制御ＩＣ３１０は、電源部２００の温度上昇率に応じて空冷時ファン回転信号のデューティー（オン／オフ比）を変化させる。
【００５４】
マイコン３００は、デジタル制御ＩＣ３１０から受ける空冷時ファン回転信号のデューティーに応じて、デジタル制御ＩＣ３１０へ出力される目標回転数信号に空冷用の目標回転数を設定する（ステップＳ３８）。その後、ステップＳ４０へ処理が移行され、１２Ｖオン／オフ回路２５５へ出力される空冷用１２Ｖオン信号が論理ハイに設定される。なお、その他の各ステップの処理については、図３で説明したとおりである。
【００５５】
以上のように、この実施の形態２においては、電源部２００の異常発熱時に、電源部２００の温度上昇率が大きいほど、燃焼用ファン１２５の回転数が高い値に設定される。したがって、この実施の形態２によれば、電源部２００の温度上昇を効果的に抑制することができる。
【００５６】
なお、上記の実施の形態２においては、電源部２００の温度上昇率が大きいほど、燃焼用ファン１２５の回転数を高くするものとしたが、電源部２００の温度が高いほど、燃焼用ファン１２５の回転数を高くしてもよい。これによっても、電源部２００の温度上昇を効果的に抑制することができる。
【００５７】
また、上記の各実施の形態においては、マイコン３００とデジタル制御ＩＣ３１０とによって燃焼用ファン１２５の制御を機能分担するものとしたが、マイコン３００とデジタル制御ＩＣ３１０とのうちのいずれか１つが燃焼用ファン１２５のすべての制御を行なうように構成してもよい。
【００５８】
なお、図２に示される回路構成は一例であり、この発明は、燃焼バーナ１１５の停止中に電源部２００の異常発熱が検知された場合に、燃焼用ファン１２５を作動させることによって電源部２００を冷却可能な給湯装置全般に適用可能である。
【００５９】
また、上記においては、給湯装置１００は、燃料にガスを用いるガス給湯器としたが、この発明は、燃料に石油を用いる石油給湯器等にも適用可能である。
【００６０】
なお、上記において、燃焼バーナ１１５は、この発明における「燃焼部」の一実施例に対応し、温度監視部２７０は、この発明における「温度検出部」の一実施例に対応する。また、リモコン３２０は、この発明における「報知部」の一実施例に対応する。
【００６１】
今回開示された実施の形態は、すべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【符号の説明】
【００６２】
１００  給湯装置、１１０  筐体、１１５  燃焼バーナ、１２０  熱交換器、１２５  燃焼用ファン、１３０  コントローラ、１３５  防雨板、１４０  前板、１４５  吸気口、１５０  排気口、２００  電源部、２０５  整流・平滑回路、２１０  トランス部、２１５  整流部、２２０  １５Ｖ出力部、２２５  三端子レギュレータ、２３５  ファン出力制御部、２４５  ファン電圧検出部、２５０  ファン電流検出部、２５５  １２Ｖオン／オフ回路、２６０  １２Ｖ生成回路、２７０  温度監視部、３００  マイコン、３１０  デジタル制御ＩＣ、３２０  リモコン。
【図１】
2014159889.tif 000003
【図２】
2014159889.tif 000004
【図３】
2014159889.tif 000005
【図４】
2014159889.tif 000006